(57)【要約】      （修正有）【課題】印刷物の色を、個人毎あるいは該個人の環境順応度に応じてきめ細かく調整が可能な印刷システムを提供する。【解決手段】ＩＣカード読取端末３００、４００において読取ったＩＣカード情報を、印刷管理サーバ２００へ送信する。印刷管理サーバ２００は、ＩＣカード情報受信時に現在時刻を時刻算出部によって取得すると共に、最初に取得した時刻から２回目以降に取得した時刻を減算することで経過時間を算出し、経過時間から目の順応の度合いを算出し、算出した順応の度合いを用いたカラープロファイルを作成して画像データに対して画像変換を行う。【選択図】図１
2010146311.tif 000002
【特許請求の範囲】
【請求項１】
記憶媒体を読取る記憶媒体読取端末、印刷出力を行うための印刷装置、前記印刷装置で印刷出力を管理するための印刷管理サーバ、及び印刷指示を行うための印刷装置端末が、ネットワークを介して接続された画像処理システムであって、
前記記憶媒体読取端末は、
ユーザを識別するためのユーザ識別情報を記憶した記憶媒体を読取る第一の記憶媒体読取部と、
前記第一の記憶媒体読取端末自身を識別するための読取端末情報を記憶する読取端末情報記憶部と、
前記第一の記憶媒体読取部によってユーザ識別情報を読取った後、前記読取端末情報記憶部に記憶された読取端末情報を取得し、前記ユーザ識別情報と共に前記印刷管理サーバへ送信する読取端末送信部と、
を備えており、
前記印刷管理サーバは、
前記読取端末送信部から送信されたユーザ識別情報及び読取端末情報を受信する第一の印刷管理サーバ送受信部と、
前記第一の印刷管理サーバ送受信部によってユーザ識別情報及び読取端末情報を受信した時に、前記ユーザ識別情報及び前記読取端末情報に対応させて現在の時刻を取得して記憶する時刻算出部と、
前記読取端末情報に対応させて画像データを予め記憶する画像データ記憶部と、
前記時刻算出部で記憶した時刻が、前記ユーザ識別情報に対して前記時刻算出部で算出した時刻を各々減算して経過時間を算出し、前記経過時間から順応の度合いを計算する順応度合計算部と、
前記順応度合計算部によって計算した順応の度合いに対応して前記ユーザ識別情報及び前記読取端末情報を記憶する順応度合情報記憶部と、
前記印刷装置への印刷要求を表す要求情報を受付ける要求情報受付部と、
前記要求情報受付部によって受付けたユーザ識別情報及び読取端末情報に該当する前記順応度合情報記憶部に記憶されたユーザ識別情報及び読取端末情報に対応する順応の度合いを取得する順応度合取得部と、
前記順応度合取得部によって取得した順応の度合いを用いてプロファイルを作成するプロファイル作成部と、
前記読取端末情報に該当する画像データ記憶部に記憶された読取端末情報に対応する画像データを取得すると共に、前記プロファイル作成部によって作成されたプロファイルを用いて前記画像データの画像変換を行う第一の画像変換部と、
前記第一の画像変換部によって変更した画像データを前記印刷装置へ送信する第二の印刷管理サーバ送受信部と、
前記印刷装置端末は、
ユーザを識別するためのユーザ識別情報を記憶した記憶媒体を読取る第二の記憶媒体読取部と、
前記第二の記憶媒体読取部によって読取ったユーザ識別情報を取得し、前記ユーザ識別情報を含む前記要求情報を前記印刷管理サーバへ送信する第一の印刷装置端末送信部と、
を備えたこと特徴とする画像処理システム。
【請求項２】
前記印刷管理サーバは、
画像データの送信を要求する送信要求情報を受付ける送信要求情報受付部と、
前記送信要求情報受付部によって送信要求情報を受付けた後、前記画像データ記憶部に記憶された読取端末情報及び画像データを取得すると共に、前記プロファイル作成部によって作成されたプロファイルを用いて前記画像データの画像変換を行う第二の画像変換部と、
前記二の画像変換部によって取得した前記読取端末情報及び前記二の画像変換部によって変更した画像データを前記印刷端末装置へ送信する第三の印刷管理サーバ送受信部と、
を更に備え、
前記印刷装置端末は、
前記送信要求情報を送信する送信情報要求部と、
前記第三の印刷管理サーバ送受信部から送信された読取端末情報に対応させた画像データを表示する画像表示部と、
前記画像表示部に表示された読取端末情報に対応させた画像データを選定して出力指示を行う出力操作部と、
前記第二の記憶媒体読取部によって読取ったユーザ識別情報を取得し、前記ユーザ識別情報及び前記出力操作部によって選定された画像データに対応する読取端末情報を含む前記要求情報を前記印刷管理サーバへ送信する第二の印刷装置端末送信部と、
を備えたことを特徴とする請求項１記載の画像処理システム。  
【請求項３】
第一の画像変換部は、各々の読取端末情報に対応して予め定めた背景輝度、白色点、サラウンド、順応輝度を用いて画像変換を行うことを特徴とする請求項１または請求項２に記載の画像処理システム。
【請求項４】
第二の画像変換部は、各々の読取端末情報に対応して予め定めた背景輝度、白色点、サラウンド、順応輝度を用いて画像変換を行うことを特徴とする請求項２または請求項３に記載の画像処理システム。
【請求項５】
記憶媒体を読取る複数の記憶媒体読取端末、印刷出力を行うための印刷装置、前記印刷装置で印刷出力を管理するための印刷管理サーバ、及び印刷指示を行うための印刷装置端末が、ネットワークを介して接続された画像処理システムにおける画像処理方法であって、
前記記憶媒体読取端末は、
ユーザを識別するためのユーザ識別情報を記憶した記憶媒体を読取る第一の記憶媒体読取工程と、
前記記憶媒体読取端末自身を識別するための読取端末情報を記憶する読取端末情報記憶工程と、
前記第一の記憶媒体読取工程によってユーザ識別情報を読取った後、前記読取端末情報記憶工程において記憶された読取端末情報を取得し、前記ユーザ識別情報と共に前記印刷管理サーバへ送信する読取端末送信工程と、
を備えており、
前記印刷管理サーバは、
前記読取端末送信工程において送信されたユーザ識別情報及び読取端末情報を受信する第一の印刷管理サーバ送受信工程と、
前記第一の印刷管理サーバ送受信工程においてユーザ識別情報及び読取端末情報を受信した時に、前記ユーザ識別情報及び前記読取端末情報に対応させて現在の時刻を取得して記憶する時刻算出工程と、
前記読取端末情報に対応させて画像データを予め記憶する画像データ記憶工程と、
前記時刻算出工程において記憶した時刻が、前記ユーザ識別情報に対して前記時刻算出工程において算出した時刻を各々減算して経過時間を算出し、前記経過時間から順応の度合いを計算する順応度合計算工程と、
前記順応度合計算工程において計算した順応の度合いに対応して前記ユーザ識別情報及び前記読取端末情報を記憶する順応度合情報記憶工程と、
前記印刷装置への印刷要求を表す要求情報を受付ける要求情報受付工程と、
前記要求情報受付工程において受付けたユーザ識別情報及び読取端末情報に該当する前記順応度合情報記憶工程において記憶されたユーザ識別情報及び読取端末情報に対応する順応の度合いを取得する順応度合取得工程と、
前記順応度合取得工程において取得した順応の度合いを用いてプロファイルを作成するプロファイル作成工程と、
前記読取端末情報に該当する画像データ記憶工程において記憶された読取端末情報に対応する画像データを取得すると共に、前記プロファイル作成工程において作成されたプロファイルを用いて前記画像データの画像変換を行う第一の画像変換工程と、
前記第一の画像変換工程において変更した画像データを前記印刷装置へ送信する第二の印刷管理サーバ送受信工程と、
前記印刷装置端末は、
ユーザを識別するためのユーザ識別情報を記憶した記憶媒体を読取る第二の記憶媒体読取工程と、
前記第二の記憶媒体読取工程において読取ったユーザ識別情報を取得し、前記ユーザ識別情報を含む前記要求情報を前記印刷管理サーバへ送信する第一の印刷装置端末送信工程と、
を備えたこと特徴とする画像処理方法。
【請求項６】
前記印刷管理サーバは、
画像データの送信を要求する送信要求情報を受付ける送信要求情報受付工程と、
前記送信要求情報受付工程において送信要求情報を受付けた後、前記画像データ記憶工程において記憶された読取端末情報及び画像データを取得すると共に、前記プロファイル作成工程において作成されたプロファイルを用いて前記画像データの画像変換を行う第二の画像変換工程と、
前記二の画像変換工程において取得した前記読取端末情報及び前記二の画像変換工程において変更した画像データを前記印刷端末装置へ送信する第三の印刷管理サーバ送受信工程と、
を更に備え、
前記印刷装置端末は、
前記送信要求情報を送信する送信情報要求工程と、
前記第三の印刷管理サーバ送受信工程において送信された読取端末情報に対応させた画像データを表示する画像表示工程と、
前記画像表示工程において表示された読取端末情報に対応させた画像データを選定して出力指示を行う出力操作工程と、
前記第二の記憶媒体読取工程において読取ったユーザ識別情報を取得し、前記ユーザ識別情報及び前記出力操作部によって選定された画像データに対応する読取端末情報を含む前記要求情報を前記印刷管理サーバへ送信する第二の印刷装置端末送信工程と、
を備えたことを特徴とする請求項５記載の画像処理方法。  
【請求項７】
請求項５または請求項６記載の画像処理方法でコンピュータに実行させるためのコンピュータに読取り可能なプログラム。
【請求項８】
請求項７に記載のプログラムを記録したコンピュータで読取り可能な記録媒体。
【発明の詳細な説明】
【技術分野】
【０００１】
本発明は、色の見えを考慮した画像変換を行い、印刷装置から画像を出力する画像処理装置、画像処理システム、画像処理システムの制御方法、プログラム、及び記録媒体に関する。
【背景技術】
【０００２】
近年、カラーマッチングの分野において、等しい観察条件の下で複数の対象物が同じように見えるだけではなく、観察環境光などの異なる観察条件の下でも対象物が同じように見えるためにカラーアピアランスモデルを利用した画像変換方法が考えられている。
【０００３】
その１つとして、特許文献１には、カラーアピアランスモデルを利用した画像変換を行う画像処理システムが開示されている。このシステムにおいては、段落番号＜０１５３＞に記載されているように、順応の度合いは周囲の状況によって事前に１つに決められている。
【特許文献１】特開２０００−４０１４０号公報
【発明の開示】
【発明が解決しようとする課題】
【０００４】
しかしながら、特許文献１に記載の画像処理システムにおいては、カラーアピアランスモデルを利用した画像変換が可能であるが、１つの出力物に対して順応の度合いを事前に１つに決めてしまっているため、順応の度合いが異なる複数の人間が展示物などを見たときに、事前に決めた順応の度合いとは異なる人が存在してしまう。
【０００５】
また、複数の展示物を順に閲覧した場合、最初と最後の展示物では目の順応の度合いが違うだけでなく、閲覧に掛かる時間によって、展示物を見たときの順応の度合いはさまざまである。
【０００６】
本発明は上記の課題を解決するためになされたものであり、対象画像に対する目の順応の度合いを考慮した画像変換を行うことができる画像処理装置およびその制御方法、プログラムを提供することを目的とする。
【課題を解決するための手段】
【０００７】
上記目的を達成するための本発明の請求項１記載の画像処理システムは、記憶媒体を読取る記憶媒体読取端末、印刷出力を行うための印刷装置、前記印刷装置で印刷出力を管理するための印刷管理サーバ、及び印刷指示を行うための印刷装置端末が、ネットワークを介して接続された画像処理システムであって、前記記憶媒体読取端末は、ユーザを識別するためのユーザ識別情報を記憶した記憶媒体を読取る第一の記憶媒体読取部と、前記第一の記憶媒体読取端末自身を識別するための読取端末情報を記憶する読取端末情報記憶部と、前記第一の記憶媒体読取部によってユーザ識別情報を読取った後、前記読取端末情報記憶部に記憶された読取端末情報を取得し、前記ユーザ識別情報と共に前記印刷管理サーバへ送信する読取端末送信部と、を備えており、前記印刷管理サーバは、前記読取端末送信部から送信されたユーザ識別情報及び読取端末情報を受信する第一の印刷管理サーバ送受信部と、前記第一の印刷管理サーバ送受信部によってユーザ識別情報及び読取端末情報を受信した時に、前記ユーザ識別情報及び前記読取端末情報に対応させて現在の時刻を取得して記憶する時刻算出部と、前記読取端末情報に対応させて画像データを予め記憶する画像データ記憶部と、前記時刻算出部で記憶した時刻が、前記ユーザ識別情報に対して前記時刻算出部で算出した時刻を各々減算して経過時間を算出し、前記経過時間から順応の度合いを計算する順応度合計算部と、前記順応度合計算部によって計算した順応の度合いに対応して前記ユーザ識別情報及び前記読取端末情報を記憶する順応度合情報記憶部と、前記印刷装置への印刷要求を表す要求情報を受付ける要求情報受付部と、前記要求情報受付部によって受付けたユーザ識別情報及び読取端末情報に該当する前記順応度合情報記憶部に記憶されたユーザ識別情報及び読取端末情報に対応する順応の度合いを取得する順応度合取得部と、前記順応度合取得部によって取得した順応の度合いを用いてプロファイルを作成するプロファイル作成部と、前記読取端末情報に該当する画像データ記憶部に記憶された読取端末情報に対応する画像データを取得すると共に、前記プロファイル作成部によって作成されたプロファイルを用いて前記画像データの画像変換を行う第一の画像変換部と、前記第一の画像変換部によって変更した画像データを前記印刷装置へ送信する第二の印刷管理サーバ送受信部と、前記印刷装置端末は、ユーザを識別するためのユーザ識別情報を記憶した記憶媒体を読取る第二の記憶媒体読取部と、前記第二の記憶媒体読取部によって読取ったユーザ識別情報を取得し、前記ユーザ識別情報を含む前記要求情報を前記印刷管理サーバへ送信する第一の印刷装置端末送信部と、を備えたこと特徴とする。
【０００８】
本発明の請求項２記載の画像処理システムは、請求項１記載の画像処理システムであって、前記印刷管理サーバは、画像データの送信を要求する送信要求情報を受付ける送信要求情報受付部と、前記送信要求情報受付部によって送信要求情報を受付けた後、前記画像データ記憶部に記憶された読取端末情報及び画像データを取得すると共に、前記プロファイル作成部によって作成されたプロファイルを用いて前記画像データの画像変換を行う第二の画像変換部と、前記二の画像変換部によって取得した前記読取端末情報及び前記二の画像変換部によって変更した画像データを前記印刷端末装置へ送信する第三の印刷管理サーバ送受信部と、を更に備え、前記印刷装置端末は、前記送信要求情報を送信する送信情報要求部と、前記第三の印刷管理サーバ送受信部から送信された読取端末情報に対応させた画像データを表示する画像表示部と、前記画像表示部に表示された読取端末情報に対応させた画像データを選定して出力指示を行う出力操作部と、前記第二の記憶媒体読取部によって読取ったユーザ識別情報を取得し、前記ユーザ識別情報及び前記出力操作部によって選定された画像データに対応する読取端末情報を含む前記要求情報を前記印刷管理サーバへ送信する第二の印刷装置端末送信部と、
を備えたことを特徴とする。
【０００９】
本発明の請求項３記載の画像処理システムは、請求項１または請求項２に記載の画像処理システムであって、第一の画像変換部は、各々の読取端末情報に対応して予め定めた背景輝度、白色点、サラウンド、順応輝度を用いて画像変換を行うことを特徴とする。
【００１０】
本発明の請求項４記載の画像処理システムは、請求項２または請求項３に記載の画像処理システムであって、第二の画像変換部は、各々の読取端末情報に対応して予め定めた背景輝度、白色点、サラウンド、順応輝度を用いて画像変換を行うことを特徴とする。
【００１１】
本発明の請求項５記載の画像処理方法は、記憶媒体を読取る複数の記憶媒体読取端末、印刷出力を行うための印刷装置、前記印刷装置で印刷出力を管理するための印刷管理サーバ、及び印刷指示を行うための印刷装置端末が、ネットワークを介して接続された画像処理システムにおける画像処理方法であって、前記記憶媒体読取端末は、ユーザを識別するためのユーザ識別情報を記憶した記憶媒体を読取る第一の記憶媒体読取工程と、前記記憶媒体読取端末自身を識別するための読取端末情報を記憶する読取端末情報記憶工程と、前記第一の記憶媒体読取工程によってユーザ識別情報を読取った後、前記読取端末情報記憶工程において記憶された読取端末情報を取得し、前記ユーザ識別情報と共に前記印刷管理サーバへ送信する読取端末送信工程と、を備えており、前記印刷管理サーバは、前記読取端末送信工程において送信されたユーザ識別情報及び読取端末情報を受信する第一の印刷管理サーバ送受信工程と、前記第一の印刷管理サーバ送受信工程においてユーザ識別情報及び読取端末情報を受信した時に、前記ユーザ識別情報及び前記読取端末情報に対応させて現在の時刻を取得して記憶する時刻算出工程と、前記読取端末情報に対応させて画像データを予め記憶する画像データ記憶工程と、前記時刻算出工程において記憶した時刻が、前記ユーザ識別情報に対して前記時刻算出工程において算出した時刻を各々減算して経過時間を算出し、前記経過時間から順応の度合いを計算する順応度合計算工程と、前記順応度合計算工程において計算した順応の度合いに対応して前記ユーザ識別情報及び前記読取端末情報を記憶する順応度合情報記憶工程と、前記印刷装置への印刷要求を表す要求情報を受付ける要求情報受付工程と、前記要求情報受付工程において受付けたユーザ識別情報及び読取端末情報に該当する前記順応度合情報記憶工程において記憶されたユーザ識別情報及び読取端末情報に対応する順応の度合いを取得する順応度合取得工程と、前記順応度合取得工程において取得した順応の度合いを用いてプロファイルを作成するプロファイル作成工程と、前記読取端末情報に該当する画像データ記憶工程において記憶された読取端末情報に対応する画像データを取得すると共に、前記プロファイル作成工程において作成されたプロファイルを用いて前記画像データの画像変換を行う第一の画像変換工程と、前記第一の画像変換工程において変更した画像データを前記印刷装置へ送信する第二の印刷管理サーバ送受信工程と、前記印刷装置端末は、ユーザを識別するためのユーザ識別情報を記憶した記憶媒体を読取る第二の記憶媒体読取工程と、前記第二の記憶媒体読取工程において読取ったユーザ識別情報を取得し、前記ユーザ識別情報を含む前記要求情報を前記印刷管理サーバへ送信する第一の印刷装置端末送信工程と、を備えたこと特徴とする。
【００１２】
本発明の請求項６記載の画像処理方法は、請求項５記載の画像処理方法であって、前記印刷管理サーバは、画像データの送信を要求する送信要求情報を受付ける送信要求情報受付工程と、前記送信要求情報受付工程において送信要求情報を受付けた後、前記画像データ記憶工程において記憶された読取端末情報及び画像データを取得すると共に、前記プロファイル作成工程において作成されたプロファイルを用いて前記画像データの画像変換を行う第二の画像変換工程と、前記二の画像変換工程において取得した前記読取端末情報及び前記二の画像変換工程において変更した画像データを前記印刷端末装置へ送信する第三の印刷管理サーバ送受信工程と、を更に備え、前記印刷装置端末は、前記送信要求情報を送信する送信情報要求工程と、前記第三の印刷管理サーバ送受信工程において送信された読取端末情報に対応させた画像データを表示する画像表示工程と、前記画像表示工程において表示された読取端末情報に対応させた画像データを選定して出力指示を行う出力操作工程と、前記第二の記憶媒体読取工程において読取ったユーザ識別情報を取得し、前記ユーザ識別情報及び前記出力操作部によって選定された画像データに対応する読取端末情報を含む前記要求情報を前記印刷管理サーバへ送信する第二の印刷装置端末送信工程と、を備えたことを特徴とする。
【００１３】
本発明の請求項７記載のプログラムは、請求項５または請求項６記載の画像処理方法でコンピュータに実行させるためのコンピュータに読取り可能なプログラムである。
【００１４】
本発明の請求項８記載の記録媒体は、請求項７に記載のプログラムを記録したコンピュータで読取り可能な記録媒体。
【発明の効果】
【００１５】
本発明によれば、ユーザごとの順応の度合いを考慮して、対象画像に対して画像変換を行うことができるため、ユーザが所望する高精度な画像出力を行うことができる、という効果を奏する。
【発明を実施するための最良の形態】
【００１６】
以下、図面を参照して、本発明の実施形態を詳細に説明する。
【００１７】
図１は、本発明の実施形態に係る高精度順応機能を有するプリントシステムの概略構成を示す概略構成図である。
【００１８】
プリントシステム１００は、ユーザの目の順応度合いに応じて印刷出力するための情報を記憶管理する印刷管理サーバ２００、入り口に設置されるＩＣカードに記録されたＩＣカード情報を読取るＩＣカード読取端末３００、各展示物の近傍に設置されるＩＣカードに記録されたＩＣカード情報を読取るＩＣカード読取端末４００、出口付近に設置が想定される、例えば、展示物の画像を印刷したポストカードなどを販売する販売所に設定される印刷操作端末５００、および印刷管理サーバ２００から送信される印刷データを紙等の記録媒体へ印刷出力を行う印刷装置６００が、ネットワーク７００を介して接続される構成となっている。なお、図示の通りＩＣカード読取端末４００は、複数の端末をプリントシステム１００に備える構成としても良い。
【００１９】
なお、図１のネットワーク７００上に接続される各種端末の構成は一例であり、用途や目的に応じて様々な構成例があることは言うまでもない。
【００２０】
次に、図１の印刷管理サーバ２００、ＩＣカード読取端末３００、ＩＣカード読取端末４００、印刷操作端末５００、印刷装置６００の各種端末のハードウェア構成について、図２から図５を用いて説明する。
【００２１】
図２は、印刷管理サーバ２００のハードウェアの概略構成を示す概略構成図である。
【００２２】
ＣＰＵ２０１は、システムバス２０４に接続される各デバイスやコントローラを統括的に制御する。また、ＲＯＭ２０２あるいは外部メモリ２０９には、ＣＰＵ２０１の制御プログラムであるＢＩＯＳ(Basic Input / Output System)やオペレーティングシステムプログラム（以下、ＯＳ）や、印刷管理サーバ２００を実行する機能を実現するために必要な後述する各種プログラム等が記憶されている。
【００２３】
ＲＡＭ２０３は、ＣＰＵ２０１の主メモリ、ワークエリア等として機能する。ＣＰＵ２０１は、処理の実行に際して必要なプログラム等をＲＡＭ２０３にロードして、プログラムを実行することで各種動作を実現するものである。
【００２４】
また、入力コントローラ２０５は、キーボード（ＫＢ）２０９や不図示のマウス等のポインティングデバイスからの入力を制御する。ビデオコントローラ２０６は、ＣＲＴディスプレイ（ＣＲＴ）２１０等の表示器への表示を制御する。表示器はＣＲＴだけでなく、液晶ディスプレイでも構わない。
【００２５】
メモリコントローラ２０７は、ブートプログラム、ブラウザソフトウエア、各種のアプリケーション、フォントデータ、ユーザファイル、編集ファイル、各種データ等を記憶するハードディスク（ＨＤ）やフロッピー（登録商標）ディスク（ＦＤ）或いはＰＣＭＣＩＡカードスロットにアダプタを介して接続されるコンパクトフラッシュ（登録商標）メモリ等の外部メモリ２１１へのアクセスを制御する。
【００２６】
通信Ｉ／Ｆコントローラ２０８は、ネットワークを介して、外部機器と接続・通信するものであり、ネットワークでの通信制御処理を実行する。例えば、ＴＣＰ／ＩＰを用いたインターネット通信等が可能である。
【００２７】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００２８】
図３は、ＩＣカード読取端末３００のハードウェアの概略構成を示す概略構成図である。
【００２９】
ＣＰＵ３０１は、システムバス３０４に接続される各デバイスやコントローラを統括的に制御する。また、ＲＯＭ３０２あるいは外部メモリ３１２には、ＣＰＵ３０１の制御プログラムであるＢＩＯＳ(Basic Input / Output System)やオペレーティングシステムプログラム（以下、ＯＳ）や、ＩＣカード読取端末３００の実行する機能を実現するために必要な後述する各種プログラム等が記憶されている。
【００３０】
ＲＡＭ３０３は、ＣＰＵ３０１の主メモリ、ワークエリア等として機能する。ＣＰＵ３０１は、処理の実行に際して必要なプログラム等をＲＡＭ３０３にロードして、プログラムを実行することで各種動作を実現するものである。
【００３１】
また、入力コントローラ３０５は、キーボード（ＫＢ）３１０や不図示のマウス等のポインティングデバイスからの入力を制御する。ビデオコントローラ３０６は、ＣＲＴディスプレイ（ＣＲＴ）３１１等の表示器への表示を制御する。表示器はＣＲＴだけでなく、液晶ディスプレイでも構わない。
【００３２】
メモリコントローラ３０７は、ブートプログラム、ブラウザソフトウエア、各種のアプリケーション、フォントデータ、ユーザファイル、編集ファイル、各種データ等を記憶するハードディスク（ＨＤ）やフロッピー（登録商標）ディスク（ＦＤ）或いはＰＣＭＣＩＡカードスロットにアダプタを介して接続されるコンパクトフラッシュ（登録商標）メモリ等の外部メモリ３１２へのアクセスを制御する。
【００３３】
カードリーダコントローラ３０８は、カードリーダ３１３のデータ入出力を制御する。カードリーダ３１３のＩＣカードとの接続方式は接触、非接触どちらでもかまわない。またカードリーダ３１３が非接触方式の場合、ＩＣカードとの通信距離はいずれでもかまわない。
【００３４】
通信Ｉ／Ｆコントローラ３０９は、ネットワークを介して、外部機器と接続・通信するものであり、ネットワークでの通信制御処理を実行する。例えば、ＴＣＰ／ＩＰを用いたインターネット通信等が可能である。なお、ＣＰＵ３０１は、例えばＲＡＭ３０３内の表示情報用領域へアウトラインフォントの展開（ラスタライズ）処理を実行することにより、ＣＲＴ３１１上での表示を可能としている。また、ＣＰＵ３０１は、ＣＲＴ３１１上の不図示のマウスカーソル等でのユーザ指示を可能とする。
【００３５】
図４は、ＩＣカード読取端末４００のハードウェアの概略構成を示す概略構成図である。
【００３６】
ＣＰＵ４０１は、システムバス４０４に接続される各デバイスやコントローラを統括的に制御する。また、ＲＯＭ４０２あるいは外部メモリ４１２には、ＣＰＵ４０１の制御プログラムであるＢＩＯＳ(Basic Input / Output System)やオペレーティングシステムプログラム（以下、ＯＳ）や、ＩＣカード読取端末４００を実行する機能を実現するために必要な後述する各種プログラム等が記憶されている。
【００３７】
ＲＡＭ４０３は、ＣＰＵ４０１の主メモリ、ワークエリア等として機能する。ＣＰＵ４０１は、処理の実行に際して必要なプログラム等をＲＡＭ４０３にロードして、プログラムを実行することで各種動作を実現するものである。
【００３８】
また、入力コントローラ４０５は、キーボード（ＫＢ）４１０や不図示のマウス等のポインティングデバイスからの入力を制御する。ビデオコントローラ４０６は、ＣＲＴディスプレイ（ＣＲＴ）４１１等の表示器への表示を制御する。表示器はＣＲＴだけでなく、液晶ディスプレイでも構わない。
【００３９】
メモリコントローラ４０７は、ブートプログラム、ブラウザソフトウエア、各種のアプリケーション、フォントデータ、ユーザファイル、編集ファイル、各種データ等を記憶するハードディスク（ＨＤ）やフロッピー（登録商標）ディスク（ＦＤ）或いはＰＣＭＣＩＡカードスロットにアダプタを介して接続されるコンパクトフラッシュ（登録商標）メモリ等の外部メモリ４１２へのアクセスを制御する。
【００４０】
カードリーダコントローラ４０８は、カードリーダ４１３のデータ入出力を制御する。カードリーダ４１３のＩＣカードとの接続方式は接触、非接触どちらでもかまわない。またカードリーダ４１３が非接触方式の場合、ＩＣカードとの通信距離はいずれでもかまわない。
【００４１】
通信Ｉ／Ｆコントローラ４０９は、ネットワークを介して、外部機器と接続・通信するものであり、ネットワークでの通信制御処理を実行する。例えば、ＴＣＰ／ＩＰを用いたインターネット通信等が可能である。なお、ＣＰＵ４０１は、例えばＲＡＭ４０３内の表示情報用領域へアウトラインフォントの展開（ラスタライズ）処理を実行することにより、ＣＲＴ４１１上での表示を可能としている。また、ＣＰＵ４０１は、ＣＲＴ４１１上の不図示のマウスカーソル等でのユーザ指示を可能とする。
【００４２】
図５は、印刷操作端末５００のハードウェアの概略構成を示す概略構成図である。
【００４３】
ＣＰＵ５０１は、システムバス５０４に接続される各デバイスやコントローラを統括的に制御する。また、ＲＯＭ５０２あるいは外部メモリ５１２には、ＣＰＵ５０１の制御プログラムであるＢＩＯＳ(Basic Input / Output System)やオペレーティングシステムプログラム（以下、ＯＳ）や、プリンタドライバ、印刷操作端末５００を実行する機能を実現するために必要な後述する各種プログラム等が記憶されている。
【００４４】
ＲＡＭ５０３は、ＣＰＵ５０１の主メモリ、ワークエリア等として機能する。ＣＰＵ５０１は、処理の実行に際して必要なプログラム等をＲＡＭ５０３にロードして、プログラムを実行することで各種動作を実現するものである。
【００４５】
また、入力コントローラ５０５は、キーボード（ＫＢ）５１０や不図示のマウス等のポインティングデバイスからの入力を制御する。ビデオコントローラ５０６は、ＣＲＴディスプレイ（ＣＲＴ）５１１等の表示器への表示を制御する。表示器はＣＲＴだけでなく、液晶ディスプレイでも構わない。
【００４６】
メモリコントローラ５０７は、ブートプログラム、ブラウザソフトウエア、各種のアプリケーション、フォントデータ、ユーザファイル、編集ファイル、各種データ等を記憶するハードディスク（ＨＤ）やフロッピー（登録商標）ディスク（ＦＤ）或いはＰＣＭＣＩＡカードスロットにアダプタを介して接続されるコンパクトフラッシュ（登録商標）メモリ等の外部メモリ５１２へのアクセスを制御する。
カードリーダコントローラ５０８は、カードリーダ５１３のデータ入出力を制御する。カードリーダ５１３のＩＣカードとの接続方式は接触、非接触どちらでもかまわない。またカードリーダ５１３が非接触方式の場合、ＩＣカードとの通信距離はいずれでもかまわない。
【００４７】
通信Ｉ／Ｆコントローラ５０９は、ネットワークを介して、外部機器と接続・通信するものであり、ネットワークでの通信制御処理を実行する。例えば、ＴＣＰ／ＩＰを用いたインターネット通信等が可能である。なお、ＣＰＵ５０１は、例えばＲＡＭ５０３内の表示情報用領域へアウトラインフォントの展開（ラスタライズ）処理を実行することにより、ＣＲＴ５１１上での表示を可能としている。また、ＣＰＵ５０１は、ＣＲＴ５１１上の不図示のマウスカーソル等でのユーザ指示を可能とする。プリンタコントローラ（ＰＲＴＣ）５１４は、印刷装置６００との双方向な通信を可能としている。
【００４８】
印刷装置６００は、印刷操作端末５００にＰＲＴＣ５１４を介して接続されており、ＰＲＴＣ５１４から受け取った印刷命令を実行することができる。なお、印刷操作端末５００と印刷装置６００との接続形態はローカル接続に限るものではなく、ネットワーク経由の接続でも構わない。
【００４９】
図６は、プリントシステム１００を機能的に表した機能ブロック図である。
【００５０】
プリントシステム１００は、印刷管理サーバ２００、ＩＣカード読取端末３００、ＩＣカード読取端末４００、印刷操作端末５００、および印刷装置６００から構成される。
【００５１】
印刷管理サーバ２００は、カード情報送受信部、順応の度合い計算部、時刻算出部、プロファイル作成部、画像変換部、及び画像送受信部から構成されている。
【００５２】
カード情報送受信部は、ＩＣカード読取端末３００とＩＣカード読取端末４００が有する第２のカード情報送信部から送信されたＩＣカード情報を受信する。
【００５３】
順応の度合い計算部は、ＩＣカード読取端末３００とＩＣカード読取端末４００にＩＣカードが翳された時刻から、ＩＣカードを翳したユーザの順応の度合いを計算する。これらは、カード情報受信部においてＩＣカード情報を受信した後、時刻算出部において、システム日付等から時刻を取得することによって、ＩＣカードが翳された時刻としている。
【００５４】
プロファイル作成部は、印刷管理サーバ２００自身が保持している順応の度合い、アピアランスパラメータを使用して、見え変換プロファイルを作成する。
【００５５】
また、画像変換部は、印刷管理サーバ２００自身が保持している展示物画像をプロファイル作成部で作成した見え変換プロファイルを用いて画像変換を行う。また、画像送受信部は、画像変換部において画像変換を行った展示物画像を印刷操作端末５００の画像受信部に送信する。
【００５６】
ＩＣカード読取端末３００は、第１のカード情報読取部、及び第１のカード情報送信部から構成される。第１のカード情報読取部は、ユーザによって翳されたＩＣカードからＩＣカード情報を読取る。
【００５７】
第１のカード情報送信部は、印刷管理サーバ２００のカード情報送受信部に、第１のカード情報読取部によって取得したＩＣカード情報を送信する。
【００５８】
ＩＣカード読取端末４００は、第２のカード情報読取部、及び第２のカード情報送信部から構成される。第２のカード情報読取部は、ユーザによって翳されたＩＣカードから情報を読取る。第２のカード情報送信部は、印刷管理サーバ２００のカード情報送受信部に、第２のカード情報読取部によって読取ったＩＣカード情報を送信する。
【００５９】
印刷操作端末５００は、第３のカード情報読取部、第３のカード情報送信部、画像受信部、画像表示部、及び出力操作部から構成される。第３のカード情報読取部は、ユーザによって翳されたＩＣカードから情報を取得する。
【００６０】
第３のカード情報送信部は、印刷管理サーバ２００のカード情報送受信部に、ＩＣカード情報を送信する。画像送受信部は、印刷管理サーバ２００の第１の画像送受信部から送信された展示物画像を受信する。画像表示部は、画像受信部において受信した展示物画像を表示する。出力操作部は、ユーザからの出力操作を受け付けて、画像変換部において画像変換を行った展示物画像を印刷装置６００へ画像送受信部によって送信する。
【００６１】
次に、プリントシステム１００の基本的な処理にについて、図８〜図１１に示されるフローチャートを用いて説明する。
【００６２】
図７は、本発明のＩＣカード読取端末３００において、ユーザによってＩＣカードが翳されることによって、ＩＣカードに記録されたＩＣカード情報を取得すると共に、どのＩＣカード読取端末でＩＣカードが翳されたかを判別するために、ＩＣカード読取端末自身に記録された情報を印刷管理サーバ２００に送信し、送信されたこれらの情報を印刷管理サーバ２００において受信し、印刷管理サーバ２００自身へ記録することを表す一例を示すフローチャートである。
【００６３】
ステップＳ１０１及びステップＳ１０２の各ステップにおける処理は、ＩＣカード読取端末３００における処理を示しており、ＣＰＵ３０１（図３参照）の制御下の元、処理が実行される。
【００６４】
また、ステップＳ１０３からステップＳ１０７の各ステップにおける処理は、印刷管理サーバ２００における処理を示しており、ＣＰＵ２０１（図２参照）の制御下の元、処理が実行される。
【００６５】
まず、ステップＳ１０１では、ＩＣカード読取端末３００が有する第１のカード情報読取部において、ＩＣカード（不図示）が翳されるとＩＣカードに記憶された個人ＩＤを含むＩＣカード情報を取得し、一時的にＲＡＭ３０３へ記憶する。
【００６６】
次に、ステップＳ１０２では、第１のカード情報送信部は、ステップＳ１０１でＲＡＭ３０３へ記憶したＩＣカード情報を取得し、ネットワークを介して、ＩＣカード情報を印刷管理サーバ２００へ送信する。
【００６７】
更に、ＩＣカード読取端末３００を構成する第１のカード情報送信部は、ＲＯＭ３０２に予め記憶したＩＣカード読取端末を一意に識別するためのリーダＩＤを取得し、ＩＣカード情報と共に、印刷管理サーバ２００へ送信する。
【００６８】
次に、ステップＳ１０３では、カード情報送受信部が、ネットワークを介して、第１のカード情報送信部によって送信されたＩＣカード情報と、リーダＩＤとを受信し、一時的にＲＡＭ２０３に記憶する。
【００６９】
ステップＳ１０４では、ＲＯＭ２０２に記録されたリーダテーブル（図１４参照）からカード情報送受信部によって受信したリーダＩＤに該当するＩＣカード読取端末の設置場所に関する情報を取得し、ＲＡＭ２０３へ一時的に記憶する。
【００７０】
例えば、本工程では、ＩＣカード読取端末３００からリーダＩＤを受信しているため図１４に示すように設置場所が入り口であることを表す情報を取得することができる。
【００７１】
ステップＳ１０５では、ステップＳ１０４においてＲＡＭ２０３へ記憶した設置場所に関する情報を使用して、設置場所が入り口かどうかを判断する。設置場所が、入り口の場合は、ステップＳ１０６に処理を遷移するが、入り口でない場合は、本工程を終了する。
【００７２】
ステップＳ１０６では、時刻算出部において、現在時刻をシステム日付等から取得しＲＡＭ２０３へ記憶する。
【００７３】
そして、印刷管理サーバ２００は、ステップＳ１０７では、ＲＡＭ２０３へ記憶したＩＣカード情報に含まれる個人ＩＤ、現在時刻を後述の図１１に示す入場時刻テーブルに記録する。
【００７４】
図８は、本発明のＩＣカード読取端末４００において、ユーザによってＩＣカードが翳されることによって、ＩＣカードに記録されたＩＣカード情報を取得すると共に、どのＩＣカード読取端末でＩＣカードが翳されたかを判別するために、ＩＣカード読取端末自身に記録された情報を取得し、これらの情報を印刷管理サーバ２００に送信し、印刷管理サーバ２００では、ＩＣカード情報と、現在時刻に基づいて、ＩＣカードを所有するユーザが展示物を閲覧したときの、順応の度合いを計算する工程の一例を示すフローチャートである。
【００７５】
ステップＳ２０１及びステップ２０２の各ステップにおける処理は、ＩＣカード読取端末４００における処理を示しており、ＣＰＵ４０１（図４参照）の制御下の元、処理が実行される。
【００７６】
また、ステップＳ２０３からステップＳ２０９の各ステップにおける処理は、印刷管理サーバ２００における処理を示しており、ＣＰＵ２０１（図２参照）の制御下の元、処理が実行される。
【００７７】
まず、ステップＳ２０１では、ＩＣカード読取端末４００が有する第２のカード情報読取部において、ＩＣカード（不図示）が翳されるとＩＣカードに記憶された個人ＩＤを含むＩＣカード情報を取得し、一時的にＲＡＭ４０３へ記憶する。
【００７８】
次に、ステップＳ２０２では、第２のカード情報送信部は、ステップＳ２０１でＲＡＭ４０３へ記憶したＩＣカード情報を取得し、ネットワークを介して、ＩＣカード情報を印刷管理サーバ２００へ送信する。
【００７９】
更に、ＩＣカード読取端末４００を構成する第２のカード情報送信部は、ＲＯＭ４０２に予め記憶したＩＣカード読取端末を一意に識別するためのリーダＩＤを取得し、ＩＣカード情報と共に、印刷管理サーバ２００へ送信する。
【００８０】
次に、ステップＳ２０３では、カード情報送受信部が、ネットワークを介して、ＩＣカード情報と、リーダＩＤとを受信し、一時的にＲＡＭ２０３へ記憶する。
【００８１】
ステップＳ２０４ではＲＯＭ２０２に記録されたリーダテーブル（図１４参照）からカード情報送受信部によって受信したリーダＩＤに該当するＩＣカード読取端末の設置場所に関する情報を取得し、ＲＡＭ２０３へ記憶する。
【００８２】
ステップＳ２０５では、ステップＳ２０４でＲＡＭ２０３へ記憶した設置場所に関する情報を使用して、設置場所が、いずれかの展示物の近傍に設置されているかどうかを判断する。
【００８３】
設置場所がいずれかの展示物の近傍に設置されている場合は、ステップＳ２０６に処理を遷移するが、いずれの展示物近傍に設置されていない場合は、本工程を終了する。
【００８４】
ステップＳ２０６では、時刻算出部において、現在時刻をシステム日付等から取得しＲＡＭ２０３へ記憶する。
【００８５】
そして、ステップＳ２０８において、ステップＳ２０６でＲＡＭ２０３へ記憶した現在時刻と、ステップＳ２０３でＲＡＭ２０３へ記憶したＩＣカード情報に含まれる個人ＩＤに該当する入場時刻テーブル（図１１参照）に記録された入場時刻から、ＩＣカードを翳したユーザが、入場から展示物を鑑賞し始める迄の時間を算出する。
【００８６】
その展示物を閲覧したときの順応の度合いを算出した時間に基づいて計算しＲＡＭ２０３へ記憶する。尚、順応の度合いは、観察環境に入ってからの経過時間に応じて、後述の図１６のように変化する。この関係を用いて、算出した時間から順応の度合いを計算する。
【００８７】
ステップＳ２０９では、ステップＳ２０３でＲＡＭ２０３へ記憶したＩＣカード情報に含まれる個人ＩＤ、ステップＳ２０４でＲＡＭ２０３へ記憶した設置場所に関する情報と、ステップＳ２０８でＲＡＭ２０３へ記憶した順応の度合いと、を後述の図１２で示される順応の度合いテーブルに記録する。
【００８８】
図９は、本発明の印刷操作端末５００における印刷操作から印刷出力までの工程の一例を示すフローチャートである。
【００８９】
まず、ステップＳ３０１では、印刷操作端末５００が有する第３のカード情報読取部において、ユーザによってＩＣカード（不図示）が翳されるとＩＣカードに記憶された個人ＩＤを含むＩＣカード情報を取得し、ＲＡＭ５０３へ一時的に記憶する。
【００９０】
次に、ステップＳ３０２では、第２の画像送受信部は、画像表示部に表示するための画像を要求する要求情報及びステップＳ３０１でＲＡＭ５０３へ記憶したＩＣカード情報を、ネットワークを介して、印刷管理サーバ２００に送信する。
【００９１】
次に、ステップＳ３０３では、印刷管理サーバ２００が有する第一の画像送受信部は、印刷操作端末装置５００の第２の画像送受信部において要求情報及びＩＣカード情報を受信すると、後述の図１３に示す画像テーブルから、全ての展示物の展示用画像ファイル及び設置場所を表す設置場所情報を取得し、受信したＩＣカード情報とともにＲＡＭ２０３へ記憶する。
【００９２】
その後、ステップＳ３０４では、ステップＳ３０３においてＲＡＭ２０３へ記憶した展示用画像ファイルを画像変換部において画像変換する。なお、画像変換に関する処理については、後述の図１０を用いて詳細に説明する。
【００９３】
そして、ステップＳ３０５では、第１の画像送受信部は、画像変換後の展示物用画像ファイル及びステップ３０３でＲＡＭ２０３へ記憶した設置場所情報を印刷操作端末５００に送信する。
【００９４】
ステップＳ３０６では、印刷操作端末５００が有する画像送受信部が、ステップＳ３０５において、第１の画像送受信部から送信された画像変換後の展示物用画像ファイル及び設置場所情報を受信し、ＲＡＭ５０３へ記憶する。
【００９５】
ステップＳ３０７では、ステップＳ３０６において、ＲＡＭ５０３へ記憶した展示物用画像ファイル及び設置場所情報を画像表示部へ表示し、ユーザが印刷を希望する展示物画像（展示物）が選択されるのを待つ。
【００９６】
画像表示部に表示されるユーザインタフェースの一例を、図１８を用いて説明する。図１８に示されるように画像表示部は、展示物の設置場所１９００、展示物画像１９０１、及びチェックボックス１９０２から構成されている。
【００９７】
展示物の設置場所１９００及び展示物画像１９０１には、ステップＳ３０６においてＲＡＭ５０３へ記憶した展示物用画像ファイル、設置場所情報が、後述の図１３に示す画像テーブルにおいて格納されているように対応付けて、各々表示される。
【００９８】
ステップＳ３０８では、ユーザによってチェックボックス１９０２にチェック印が入力された状態の展示物の設置場所１９００及び展示物画像１９０１を取得する。
【００９９】
次に、ステップＳ３０９では、ステップＳ３０１でＲＡＭ５０３へ記憶したＩＣカード情報、ステップＳ３０８で選択された展示物の設置場所１９００に関する情報、印刷操作端末５００のＲＯＭ５０２に予め記憶されたリーダＩＤを取得し、第３のカード情報送信によって部、これらの情報が印刷管理サーバ２００へ送信される。
【０１００】
ステップＳ３１０では、印刷管理サーバ２００が有するカード情報送受信部が、ステップＳ３０９において、印刷操作端末５００から送信されたＩＣカード情報、選択された展示物の設置場所に関する情報、印刷操作端末５００のリーダＩＤを受信し、一時的にＲＡＭ２０３へ記憶する。
【０１０１】
ステップＳ３１１では、リーダテーブル（図１４参照）から、ステップＳ３１０におけるカード情報送受信部で受信したリーダＩＤに該当するカードリーダＩＤに対応した設置場所を表す設置場所情報を取得し、取得した設置場所情報からＩＣカード読取端末４００の設置場所に関する情報を取得する。
【０１０２】
ステップＳ３１２では、ステップＳ３１１で取得した設置場所情報から、設置場所が、印刷操作端末５００であるか否かを判断する。設置場所が、印刷操作端末５００の場合は、ステップＳ３１３に処理を遷移するが、設置場所が、印刷操作端末５００ではない場合は、本工程を終了する。
【０１０３】
続いて、ステップＳ３１３では、後述の図１３に示す画像テーブルから、ステップＳ３１０におけるカード情報送受信部で受信した設置場所情報に該当する展示用画像ファイルを取得し、ＲＡＭ２０３へ記憶する。
【０１０４】
その後、ステップＳ３１４では、ステップＳ３１３において、ＲＡＭ２０３へ記憶した展示用画像ファイルを画像変換部において画像変換する。なお、画像変換に関する処理については、後述の図１０を用いて詳細に説明する。
【０１０５】
そして、ステップＳ３１５では、第１の画像送受信部は、画像変換後の展示用画像ファイルを印刷操作端末５００に送信する。
【０１０６】
ステップＳ３１６では、印刷操作端末５００が有する第３のカード情報送信部が、ステップＳ３１５で、第１の画像送受信部によって送信された画像変換後の展示用画像ファイルを受信する。
【０１０７】
そして、ステップＳ３１７では、印刷操作端末５００に接続された印刷装置６００を用いて、ステップＳ３１６において、第３のカード情報送信部によって受信した展示用画像ファイルを印刷出力する。
【０１０８】
図１０は、本発明の印刷管理サーバ２００の画像変換部において画像変換を行う工程の一例を示すフローチャートであり、図９のステップＳ３０４およびステップＳ３１４に対応する。
【０１０９】
ステップＳ４０１では、印刷管理サーバ２００は、後述の図１２で示される順応の度合いテーブルから、ステップＳ３０３あるいはステップＳ３１０においてＲＡＭ２０３で記憶したＩＣカード情報に含まれる個人ＩＤに対応した設置場所情報、順応の度合いを表す順応度合情報を取得し、一時的にＲＡＭ２０３へ記憶する。
【０１１０】
なお、本ステップは、ステップＳ３０４の場合は、ステップＳ３０３でＲＡＭ２０３へ記憶したＩＣカード情報に含まれる個人ＩＤに対応するすべての設置場所情報、及び順応度合情報を取得するが、ステップＳ３１４では、ステップ３１０でＲＡＭ２０３へ記憶したＩＣカード情報に含まれる個人ＩＤに対応すると共に、ステップ３１０でＲＡＭ２０３へ記憶した設置場所情報に対応する順応度合情報を取得しＲＡＭ２０３へ記憶する。
【０１１１】
次に、ステップＳ４０２では、後述の図１５で示される展示物環境テーブルから、背景輝度、白色点、順応輝度を取得する。これらは画像変換にＣＩＥＣＡＭ０２モデルを使う場合に使用するパラメータであり、その他の変換モデルを使用する場合は、使用モデルに応じたパラメータを設定することが可能である。
【０１１２】
なお、本ステップは、ステップＳ３０４の場合は、ステップＳ４０１でＲＡＭ２０３へ記憶した設置場所情報に対応する各パラメータを取得する。
【０１１３】
続いて、ステップＳ４０３では、図１７で示されるような順応用のプロファイルを作成する。図１７は、マイクロソフト社のＷｉｎｄｏｗｓ（登録商標）Ｖｉｓｔａにおいて画像変換を行う際に使用されるＣＡＭＰと呼ばれる順応用プロファイルの例を示しており、画像変換は任意のアプリケーションで実施することができるので、そこで使用される順応用プロファイルの形式はこの限りではない。
【０１１４】
そして、ステップＳ４０４では、ステップＳ４０３で作成した順応用プロファイルを使用して、目の順応を考慮した画像変換を行う。変換は任意のアプリケーションで行われることを想定しているが、Ｗｉｎｄｏｗｓ（登録商標）Ｖｉｓｔａにおいては、ＯＳ上で同様の処理を行うことも可能である。
【０１１５】
変換対象の画像が複数ある場合は、上記ステップＳ４０１からステップＳ４０４を必要な回数繰り返すように印刷管理サーバ２００が有するＣＰＵ５０１が制御する。
【０１１６】
なお、本実施形態では、上述の図１１〜図１５の各種テーブルは印刷管理サーバ２００の外部メモリ２１１に記憶されているが、これ以外に、上述の各種処理を実現するための画像データなどが外部メモリ２１１に記憶されている。
【０１１７】
ここで、図１１〜図１５で示す各テーブルについて説明する。
【０１１８】
図１１の入場時刻テーブルは、個人ＩＤと入場時刻から構成されている。個人ＩＤはＩＣカードに含まれている情報で、ユーザを一意に識別できるようにデータが決められている。
【０１１９】
図１２の順応の度合いテーブルは、個人ＩＤ、設置場所と順応の度合いから構成されている。上述の設置場所とは、ＩＣカード情報を送信した端末がどこに設置されているかを表しているものである。順応の度合いは、図１６に示す順応の度合いと経過時間の関係を表すグラフを元に計算する。
【０１２０】
図１３の画像テーブルは、設置場所、展示用画像ファイルから構成されている。上述の展示用画像ファイルは、ファイルパスなどの方法で実際に印刷管理サーバの外部メモリ２１１に保存されている画像ファイルと１対１で結びつくものとする。  図１４の設置場所テーブルは、カードリーダＩＤと設置場所で構成されている。カードリーダＩＤは、ＩＣカード読取端末３００もしくはＩＣカード読取端末４００もしくは印刷操作端末５００に接続されたカードリーダを一意に識別できるＩＤである。
【０１２１】
図１５の順応の度合いテーブルは、背景輝度、白色点、サラウンドと順応輝度で構成される。これらはＣＩＥＣＡＭ０２モデルを用いて画像変換を行う際に使用する、展示物の見えを表すパラメータで、展示物ごとに設定される。
【０１２２】
なお、これらの図１１〜図１５の各種テーブルの構成及びその内容は限定されるものではなく、用途や目的に応じて、様々な構成や内容で構成されることは言うまでもない。
【０１２３】
以上説明したように、本実施形態によれば、順応用プロファイルを用いた変換は任意のアプリケーションによって行われる。また、印刷操作端末のＯＳがＷｉｎｄｏｗｓ（登録商標）Ｖｉｓｔａの場合には、印刷操作端末５００に備えられたＯＳで変換することも出来る。
【０１２４】
この場合、図１０におけるステップＳ４０４は、図９におけるステップＳ３１７の直前に印刷操作端末５００上で行うことになる。この場合、図１０におけるステップＳ３１５では、画像変換後の画像ではなく、図１０におけるステップＳ４０３で作成された順応用プロファイルを、印刷操作端末５００に送信することになる。
【０１２５】
上記実施形態より、ユーザごとの順応の度合いを考慮して、対象画像に対して画像変換を行うことができるため、ユーザが所望する高精度な画像出力を行うことができる、
以上、実施形態例を詳述したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【図面の簡単な説明】
【０１２６】
【図１】本発明の実施形態に係る高精度順応機能を有するプリントシステムの概略構成を示す構成図である。
【図２】本発明の実施形態に係る印刷管理サーバのハードウェアの概略構成を示す構成図である。
【図３】本発明の実施形態に係るＩＣカードの情報読み取り端末のハードウェアの概略構成を示す図である。
【図４】本発明の実施形態に係るＩＣカードの情報読み取り端末のハードウェアの概略構成を示す図である
【図５】本発明の実施形態に係る印刷操作端末のハードウェアの概略構成を示す図である。
【図６】本発明の実施形態に係るプリントシステムを各機能毎に表した機能ブロック図である。
【図７】本発明の実施形態に係るＩＣカードの情報読み取り端末におけるＩＣカード情報を送信する工程と、印刷管理サーバにおけるＩＣカード情報を受信する工程の一例を示すフローチャートである
【図８】本発明の実施形態に係るＩＣカードの情報読み取り端末におけるＩＣカード情報を送信する工程と、印刷管理サーバにおける前記ＩＣカード情報と、前記現在時刻に基づいて、ユーザが展示物を閲覧したときの、ＩＣカード所有者の順応の度合いを計算する工程の一例を示すフローチャートである。
【図９】本発明の実施形態に係る印刷操作端末における印刷操作から出力までの工程の一例を示すフローチャートである
【図１０】本発明の実施形態に係る印刷管理サーバにおいて展示用画像ファイルの画像変換を行う工程の一例を示すフローチャートである。
【図１１】本発明の実施形態に係る入場時刻テーブルの一例を示す図である。
【図１２】本発明の実施形態に係る順応の度合いテーブルの一例を示す図である。
【図１３】本発明の実施形態に係る画像テーブルの一例を示す図である。
【図１４】本発明の実施形態に係る設置場所テーブルの一例を示す図である。
【図１５】本発明の実施形態に係る順応の度合いテーブルの一例を示す図である。
【図１６】本発明の実施形態に係る順応の度合いと経過時間の関係を表すグラフの一例を示す図である。
【図１７】本発明の実施形態に係る順応用プロファイルの一例を示す図である。
【図１８】本発明の実施形態に係る一覧画面の一例を示す図である。
【符号の説明】
【０１２７】
１００    プリントシステム
２００    印刷管理サーバ
２０１    ＣＰＵ
２０２    ＲＯＭ
２０３    ＲＡＭ
２０４    システムバス
２０５    入力コントローラ
２０６    ビデオコントローラ
２０７    メモリコントローラ
２０８    通信Ｉ／Ｆコントローラ
２０９    外部メモリ
２１０    ＣＲＴ
２１１    外部メモリ
３００    ＩＣカード読取端末
３０１    ＣＰＵ
３０２    ＲＯＭ
３０３    ＲＡＭ
３０４    システムバス
３０５    入力コントローラ
３０６    ビデオコントローラ
３０７    メモリコントローラ
３０８    カードリーダコントローラ
３０９    通信Ｉ／Ｆコントローラ
３１０    キーボード
３１１    ＣＲＴディスプレイ
３１２    外部メモリ
３１３    カードリーダ
４００    ＩＣカード読取端末
４０１    ＣＰＵ
４０２    ＲＯＭ
４０３    ＲＡＭ
４０４    システムバス
４０５    入力コントローラ
４０６    ビデオコントローラ
４０７    メモリコントローラ
４０８    カードリーダコントローラ
４０９    通信Ｉ／Ｆコントローラ
４１０    キーボード
４１１    ＣＲＴディスプレイ
４１２    外部メモリ
４１３    カードリーダ
５００    印刷操作端末
５０１    ＣＰＵ
５０２    ＲＯＭ
５０３    ＲＡＭ
５０４    システムバス
５０５    入力コントローラ
５０６    ビデオコントローラ
５０７    メモリコントローラ
５０８    カードリーダコントローラ
５０９    通信Ｉ／Ｆコントローラ
５１０    キーボード
５１１    ＣＲＴディスプレイ
５１２    外部メモリ
５１３    カードリーダ
５１４    プリンタコントローラ
６００    印刷装置
７００    ネットワーク
【図１】
2010146311.tif 000003
【図２】
2010146311.tif 000004
【図３】
2010146311.tif 000005
【図４】
2010146311.tif 000006
【図５】
2010146311.tif 000007
【図６】
2010146311.tif 000008
【図７】
2010146311.tif 000009
【図８】
2010146311.tif 000010
【図９】
2010146311.tif 000011
【図１０】
2010146311.tif 000012
【図１１】
2010146311.tif 000013
【図１２】
2010146311.tif 000014
【図１３】
2010146311.tif 000015
【図１４】
2010146311.tif 000016
【図１５】
2010146311.tif 000017
【図１６】
2010146311.tif 000018
【図１７】
2010146311.tif 000019
【図１８】
2010146311.tif 000020